(57)【要約】【課題】ユーザが携帯端末で簡易に位置情報を得られるシステムを提供すること。【解決手段】位置情報管理サーバ２０は、携帯端末１０から、電波を受信したアクセスポイント３０それぞれの識別データ、及び現在位置を示す名称データを受信する名称受付部２１１と、受信された識別データの組み合わせを名称データと関連付けて位置情報ＤＢ２２１に登録する登録部２１２と、携帯端末１０から、電波を受信したアクセスポイント３０それぞれの識別データを受信する測位受付部２１３と、識別データが受信されたことに応じて、当該識別データの組み合わせを位置情報ＤＢ２２１と照合することにより、名称データを抽出する抽出部２１４と、位置情報の取得要求に応じて、抽出された名称データを要求元へ送信する送信部２１５と、を備える。【選択図】図２
2014165878.tif 000002
【特許請求の範囲】
【請求項１】
第１の携帯端末から、所定の施設内に設けられた無線通信用の複数のアクセスポイントのうち、当該第１の携帯端末が電波を受信したアクセスポイントそれぞれの識別データ、及び当該第１の携帯端末の現在位置を示す名称データを受信する名称受付部と、
前記名称受付部により受信された前記識別データの組み合わせを、前記名称データと関連付けてデータベースに登録する登録部と、
測位対象の第２の携帯端末から当該第２の携帯端末が電波を受信したアクセスポイントそれぞれの識別データを受信する測位受付部と、
前記測位受付部により前記識別データが受信されたことに応じて、当該識別データの組み合わせを前記データベースと照合することにより、前記名称データを抽出する抽出部と、
位置情報の取得要求に応じて、前記抽出部により抽出された前記名称データを要求元へ送信する送信部と、を備える位置情報管理サーバ。
【請求項２】
前記名称受付部は、前記アクセスポイントそれぞれの識別データと共に、前記第１の携帯端末における当該アクセスポイントそれぞれの電波強度を受信し、
前記登録部は、前記識別データ及び前記電波強度の組み合わせを、前記名称データと関連付けて前記データベースに登録し、
前記測位受付部は、前記アクセスポイントそれぞれの識別データと共に、前記第２の携帯端末における当該アクセスポイントそれぞれの電波強度を受信し、
前記抽出部は、前記電波強度の組み合わせを前記データベースとパターンマッチングすることにより、前記名称データを抽出する請求項１に記載の位置情報管理サーバ。
【請求項３】
前記登録部は、同一の名称データに関連付けられる複数の前記電波強度の組み合わせを統計処理し、１又は複数の代表データを生成して前記データベースを更新する請求項２に記載の位置情報管理サーバ。
【請求項４】
前記送信部は、前記第２の携帯端末から前記取得要求を受信する請求項１から請求項３のいずれかに記載の位置情報管理サーバ。
【請求項５】
前記送信部は、前記第２の携帯端末とは異なる第３の携帯端末から前記取得要求を受信する請求項１から請求項４のいずれかに記載の位置情報管理サーバ。
【請求項６】
前記測位受付部は、前記取得要求に応じて、前記第２の携帯端末へ前記識別データの送信を要求する請求項５に記載の位置情報管理サーバ。
【請求項７】
前記測位受付部は、所定のタイミングで、前記第２の携帯端末から前記識別データを受信する請求項５に記載の位置情報管理サーバ。
【請求項８】
所定の施設内に設けられた無線通信用の複数のアクセスポイントを探索し、電波を受信したアクセスポイントそれぞれの識別データを取得する探索部と、
現在位置を示す名称データの入力を受け付けたことに応じて、当該名称データを前記識別データの組み合わせと共に管理サーバへ送信し、当該管理サーバにおいて前記識別データから前記名称データを検索可能に関連付けて登録させる登録部と、を備える携帯端末。
【請求項９】
所定の施設内に設けられた無線通信用の複数のアクセスポイントを探索し、電波を受信したアクセスポイントそれぞれの識別データを取得する探索部と、
要求に応じて前記識別データの組み合わせを管理サーバへ通知することにより、当該管理サーバが前記識別データの組み合わせと関連付けて記憶している名称データを出力させる通知部と、を備える携帯端末。
【請求項１０】
管理サーバが第１の携帯端末から、所定の施設内に設けられた無線通信用の複数のアクセスポイントのうち、当該第１の携帯端末が電波を受信したアクセスポイントそれぞれの識別データ、及び当該第１の携帯端末の現在位置を示す名称データを受信し、前記識別データの組み合わせと前記名称データとを関連付けてデータベースに登録する登録部と、
前記管理サーバが測位対象の第２の携帯端末から、当該第２の携帯端末が電波を受信したアクセスポイントそれぞれの識別データを受信し、当該識別データの組み合わせを前記データベースと照合することにより、前記名称データを抽出する抽出部と、
位置情報の取得要求に応じて、前記抽出部により抽出された前記名称データを要求元へ送信する送信部と、を備える位置情報提供システム。
【請求項１１】
管理サーバが第１の携帯端末から、所定の施設内に設けられた無線通信用の複数のアクセスポイントのうち、当該第１の携帯端末が電波を受信したアクセスポイントそれぞれの識別データ、及び当該第１の携帯端末の現在位置を示す名称データを受信し、前記識別データの組み合わせと前記名称データとを関連付けてデータベースに登録する登録ステップと、
前記管理サーバが測位対象の第２の携帯端末から、当該第２の携帯端末が電波を受信したアクセスポイントそれぞれの識別データを受信し、当該識別データの組み合わせを前記データベースと照合することにより、前記名称データを抽出する抽出ステップと、
位置情報の取得要求に応じて、前記抽出ステップにおいて抽出された前記名称データを要求元へ送信する送信ステップと、を含む位置情報提供方法。
【発明の詳細な説明】
【技術分野】
【０００１】
本発明は、携帯端末の位置情報を提供するシステムに関する。
【背景技術】
【０００２】
従来、携帯端末のユーザに対して現在位置の情報を提供するシステムが利用されている。例えば、屋外においては、ＧＰＳによる測位結果を携帯端末に表示できる。また、無線ＬＡＮのアクセスポイントからの距離を電波強度から推定して現在位置を求める方法も提案されている（例えば、特許文献１参照）。
【先行技術文献】
【特許文献】
【０００３】
【特許文献１】特開２０１２−００７９７１号公報
【発明の概要】
【発明が解決しようとする課題】
【０００４】
しかしながら、アクセスポイントの電波強度から現在位置を求めてユーザに提示するためには、アクセスポイントの位置及び地図情報が必要であり、測位処理及び出力処理の負荷が大きかった。
【０００５】
本発明は、ユーザが携帯端末で簡易に位置情報を得られるシステムを提供することを目的とする。
【課題を解決するための手段】
【０００６】
本発明に係る位置情報管理サーバは、第１の携帯端末から、所定の施設内に設けられた無線通信用の複数のアクセスポイントのうち、当該第１の携帯端末が電波を受信したアクセスポイントそれぞれの識別データ、及び当該第１の携帯端末の現在位置を示す名称データを受信する名称受付部と、前記名称受付部により受信された前記識別データの組み合わせを、前記名称データと関連付けてデータベースに登録する登録部と、測位対象の第２の携帯端末から当該第２の携帯端末が電波を受信したアクセスポイントそれぞれの識別データを受信する測位受付部と、前記測位受付部により前記識別データが受信されたことに応じて、当該識別データの組み合わせを前記データベースと照合することにより、前記名称データを抽出する抽出部と、位置情報の取得要求に応じて、前記抽出部により抽出された前記名称データを要求元へ送信する送信部と、を備える。
【０００７】
前記名称受付部は、前記アクセスポイントそれぞれの識別データと共に、前記第１の携帯端末における当該アクセスポイントそれぞれの電波強度を受信し、前記登録部は、前記識別データ及び前記電波強度の組み合わせを、前記名称データと関連付けて前記データベースに登録し、前記測位受付部は、前記アクセスポイントそれぞれの識別データと共に、前記第２の携帯端末における当該アクセスポイントそれぞれの電波強度を受信し、前記抽出部は、前記電波強度の組み合わせを前記データベースとパターンマッチングすることにより、前記名称データを抽出してもよい。
【０００８】
前記登録部は、同一の名称データに関連付けられる複数の前記電波強度の組み合わせを統計処理し、１又は複数の代表データを生成して前記データベースを更新してもよい。
【０００９】
前記送信部は、前記第２の携帯端末から前記取得要求を受信してもよい。
【００１０】
前記送信部は、前記第２の携帯端末とは異なる第３の携帯端末から前記取得要求を受信してもよい。
【００１１】
前記測位受付部は、前記取得要求に応じて、前記第２の携帯端末へ前記識別データの送信を要求してもよい。
【００１２】
前記測位受付部は、所定のタイミングで、前記第２の携帯端末から前記識別データを受信してもよい。
【００１３】
本発明に係る携帯端末は、所定の施設内に設けられた無線通信用の複数のアクセスポイントを探索し、電波を受信したアクセスポイントそれぞれの識別データを取得する探索部と、現在位置を示す名称データの入力を受け付けたことに応じて、当該名称データを前記識別データの組み合わせと共に管理サーバへ送信し、当該管理サーバにおいて前記識別データから前記名称データを検索可能に関連付けて登録させる登録部と、を備える。
【００１４】
本発明に係る携帯端末は、所定の施設内に設けられた無線通信用の複数のアクセスポイントを探索し、電波を受信したアクセスポイントそれぞれの識別データを取得する探索部と、要求に応じて前記識別データの組み合わせを管理サーバへ通知することにより、当該管理サーバが前記識別データの組み合わせと関連付けて記憶している名称データを出力させる通知部と、を備える。
【００１５】
本発明に係る位置情報提供システムは、管理サーバが第１の携帯端末から、所定の施設内に設けられた無線通信用の複数のアクセスポイントのうち、当該第１の携帯端末が電波を受信したアクセスポイントそれぞれの識別データ、及び当該第１の携帯端末の現在位置を示す名称データを受信し、前記識別データの組み合わせと前記名称データとを関連付けてデータベースに登録する登録部と、前記管理サーバが測位対象の第２の携帯端末から、当該第２の携帯端末が電波を受信したアクセスポイントそれぞれの識別データを受信し、当該識別データの組み合わせを前記データベースと照合することにより、前記名称データを抽出する抽出部と、位置情報の取得要求に応じて、前記抽出部により抽出された前記名称データを要求元へ送信する送信部と、を備える。
【００１６】
本発明に係る位置情報提供方法は、管理サーバが第１の携帯端末から、所定の施設内に設けられた無線通信用の複数のアクセスポイントのうち、当該第１の携帯端末が電波を受信したアクセスポイントそれぞれの識別データ、及び当該第１の携帯端末の現在位置を示す名称データを受信し、前記識別データの組み合わせと前記名称データとを関連付けてデータベースに登録する登録ステップと、前記管理サーバが測位対象の第２の携帯端末から、当該第２の携帯端末が電波を受信したアクセスポイントそれぞれの識別データを受信し、当該識別データの組み合わせを前記データベースと照合することにより、前記名称データを抽出する抽出ステップと、位置情報の取得要求に応じて、前記抽出ステップにおいて抽出された前記名称データを要求元へ送信する送信ステップと、を含む。
【発明の効果】
【００１７】
本発明によれば、ユーザは、携帯端末で簡易に位置情報を得られる。
【図面の簡単な説明】
【００１８】
【図１】第１実施形態に係る位置情報提供システムの構成を示す図である。
【図２】第１実施形態に係る機能を示すブロック図である。
【図３】第１実施形態に係る位置情報登録処理を示すシーケンス図である。
【図４】第１実施形態に係る測位処理を示すシーケンス図である。
【図５】第２実施形態に係る機能を示すブロック図である。
【図６】第２実施形態に係る測位処理を示すシーケンス図である。
【発明を実施するための形態】
【００１９】
＜第１実施形態＞
以下、本発明の第１実施形態について説明する。
本実施形態の位置情報提供システム１は、携帯端末１０の位置の名称を位置情報管理サーバ２０に登録すると共に、携帯端末１０へ現在位置に対応する名称を通知する。
【００２０】
図１は、本実施形態に係る位置情報提供システム１の構成を示す図である。
位置情報提供システム１は、所定の施設内で提供され、携帯端末１０と、位置情報管理サーバ２０と、無線ＬＡＮのアクセスポイント３０とを備える。
所定の施設とは、例えば、ショッピングセンタ、イベント会場又は駅構内等であり、ユーザが位置情報を必要とすることが多い場所である。
【００２１】
アクセスポイント３０は、施設内に複数設置されており、通信可能エリアが施設内を網羅していることが好ましい。携帯端末１０は、電波を受信したアクセスポイント３０の識別情報及び電波強度を位置情報管理サーバ２０へ通知すると共に、現在位置を示す名称の入力をユーザから受け付ける。位置情報管理サーバ２０は、この名称を識別データ及び電波強度と関連付けて登録する。
【００２２】
また、携帯端末１０は、取得したアクセスポイント３０の識別データ及び電波強度を位置情報管理サーバ２０へ送信すると共に、位置情報の取得要求を行うと、位置情報管理サーバ２０は、受信した識別データ及び電波強度を登録済みデータと照合することにより、名称データを抽出して携帯端末１０へ送信する。ユーザは、携帯端末１０に名称データが表示されることにより、概略位置を簡易に把握できる。
【００２３】
図２は、本実施形態に係る位置情報提供システム１を構成する要素の機能を示すブロック図である。
【００２４】
携帯端末１０は、制御部１１と、記憶部１２と、通信部１３と、入力部１４と、表示部１５とを備える。
位置情報管理サーバ２０は、制御部２１と、記憶部２２と、通信部２３とを備える。
【００２５】
携帯端末１０において、制御部１１は、携帯端末１０の全体を制御する部分であり、記憶部１２に記憶された各種プログラムを適宜読み出して実行することにより、本実施形態における各種機能を実現している。制御部１１は、ＣＰＵ（Ｃｅｎｔｒａｌ  Ｐｒｏｃｅｓｓｉｎｇ  Ｕｎｉｔ）であってよい。
また、制御部１１は、探索部１１１と、登録部１１２と、要求部１１３と、出力部１１４とを備える。
【００２６】
探索部１１１は、所定の施設内に設けられた無線通信用のアクセスポイント３０の電波を探索し、無線接続可能な、あるいは電波を受信したアクセスポイント３０の識別データを取得する。識別データは、例えば、ＢＳＳＩＤ（Ｂａｓｉｃ  Ｓｅｒｖｉｃｅ  Ｓｅｔ  Ｉｄｅｎｔｉｆｉｅｒ）であってよい。
【００２７】
登録部１１２は、携帯端末１０のユーザから、現在位置を示す名称データの入力を受け付ける。そして、登録部１１２は、この受け付けた名称データを、探索部１１１により取得されたアクセスポイント３０の識別データ及び電波強度の組み合わせと共に位置情報管理サーバ２０へ送信する。これにより、位置情報管理サーバ２０において、識別データ及び電波強度から名称データを検索可能に互いが関連付けられて登録される。
【００２８】
要求部１１３は、探索部１１１により取得されたアクセスポイント３０の識別データ及び電波強度の組み合わせを位置情報管理サーバ２０へ送信することにより、携帯端末１０の位置情報の取得要求を行う。
【００２９】
出力部１１４は、位置情報管理サーバ２０から位置情報として名称データを受信すると、この名称データを表示部１５に表示させて、ユーザに現在位置を報知する。
【００３０】
記憶部１２は、ハードウェア群を携帯端末１０として機能させるための各種プログラム、及び各種データ等の記憶領域であり、ＲＯＭ、ＲＡＭ、フラッシュメモリ又はハードディスク（ＨＤＤ）等であってよい。具体的には、記憶部１２は、本実施形態の各機能を制御部１１に実行させるプログラムを記憶する。
【００３１】
通信部１３は、携帯端末１０が他の装置と通信する場合のネットワーク・アダプタである。具体的には、通信部１３は、制御部１１の制御に従って、無線ＬＡＮ（例えば、ＷｉＦｉ）のアクセスポイント３０と無線接続し、位置情報管理サーバ２０と通信する。
また、通信部１３は、さらに他の通信プロトコル（例えば、３Ｇ、４Ｇ、ＷｉＭＡＸ等）に対応し、これらの通信プロトコルにより位置情報管理サーバ２０と通信してもよい。
【００３２】
入力部１４は、携帯端末１０に対するユーザからの指示入力を受け付けるインタフェース装置である。入力部１４は、例えば、タッチパネル及び操作ボタン等により構成される。
【００３３】
表示部１５は、制御部１１による表示制御に従って、ユーザにデータの入力を受け付ける画面を表示したり、制御部１１による処理結果の画面を表示したりする。表示部１５は、液晶ディスプレイ（ＬＣＤ）又は有機ＥＬディスプレイ等のディスプレイ装置であってよい。
【００３４】
位置情報管理サーバ２０において、制御部２１は、位置情報管理サーバ２０の全体を制御する部分であり、記憶部２２に記憶された各種プログラムを適宜読み出して実行することにより、本実施形態における各種機能を実現している。制御部２１は、ＣＰＵであってよい。
また、制御部２１は、名称受付部２１１と、登録部２１２と、測位受付部２１３と、抽出部２１４と、送信部２１５とを備える。
【００３５】
名称受付部２１１は、携帯端末１０から、所定の施設内に設けられた無線通信用の複数のアクセスポイント３０のうち、携帯端末１０が電波を受信したアクセスポイント３０それぞれの識別データ及び電波強度と、携帯端末１０の現在位置を示す名称データとを受信する。
【００３６】
登録部２１２は、名称受付部２１１により受信された識別データ及び電波強度の組み合わせを、名称データと関連付けて記憶部２２のデータベースに登録する。
このとき、登録部２１２は、同一の名称データに関連付けられる複数の電波強度の組み合わせを統計処理し、１又は複数の代表データを生成してデータベースを更新する。具体的には、登録部２１２は、同一の名称データの集合に対して、例えば以下のいずれかの処理を行う。
・複数のデータの中心を求める。
・近似データを削除する。
・集合内の周縁のデータに集約する。
・クラスタを生成し、このクラスタから乖離したデータを削除する。
【００３７】
測位受付部２１３は、測位対象である携帯端末１０から、この携帯端末１０が電波を受信したアクセスポイント３０それぞれの識別データ及び電波強度を受信する。
【００３８】
抽出部２１４は、測位受付部２１３により識別データ及び電波強度が受信されたことに応じて、識別データ及び電波強度の組み合わせをデータベースと照合し、パターンマッチングすることにより、名称データを抽出する。
【００３９】
送信部２１５は、携帯端末１０から受信した位置情報の取得要求に応じて、抽出部２１４により抽出された名称データを、要求元である携帯端末０へ送信する。
【００４０】
記憶部２２は、ハードウェア群を位置情報管理サーバ２０として機能させるための各種プログラム、及び各種データ等の記憶領域であり、ＲＯＭ、ＲＡＭ、フラッシュメモリ又はハードディスク（ＨＤＤ）等であってよい。具体的には、記憶部２２は、本実施形態の各機能を制御部２１に実行させるプログラムを記憶する。また、記憶部２２は、前述のデータベースとして、位置情報ＤＢ２２１を記憶する。
【００４１】
通信部２３は、位置情報管理サーバ２０が他の装置と通信する場合のネットワーク・アダプタである。具体的には、通信部２３は、制御部２１の制御に従って、所定のネットワーク（例えば、インターネット）を通じてアクセスポイント３０と接続し、携帯端末１０と通信する。
また、通信部２３は、さらに他の通信プロトコル（例えば、３Ｇ、４Ｇ、ＷｉＭＡＸ等）に対応した基地局と接続し、これらの通信プロトコルにより携帯端末１０と通信してもよい。
【００４２】
図３は、本実施形態に係る位置情報登録処理を示すシーケンス図である。
本処理により、位置情報管理サーバ２０で管理される位置情報ＤＢ２２１が更新される。
【００４３】
ステップＳ１において、携帯端末１０は、アクセスポイント３０の電波を捕捉し、識別データ及び電波強度を取得すると共に、いずれかのアクセスポイント３０と無線接続を確立する。
【００４４】
ステップＳ２において、携帯端末１０は、ユーザから現在位置を示す名称の入力を受け付ける。
【００４５】
ステップＳ３において、携帯端末１０は、ステップＳ１で取得した識別データ及び電波強度を、ステップＳ２で受け付けた名称と共に位置情報管理サーバ２０へ送信する。
【００４６】
ステップＳ４において、位置情報管理サーバ２０は、ステップＳ３で受信した識別データ及び電波強度を名称と関連付けて、位置情報ＤＢ２２１に記憶する。このとき、位置情報ＤＢ２２１は、前述の統計処理により最適化される。
【００４７】
図４は、本実施形態に係る測位処理を示すシーケンス図である。
本処理により、携帯端末１０において自端末の位置情報が取得される。
【００４８】
ステップＳ１１において、携帯端末１０は、ユーザから現在位置情報の取得要求を受け付ける。あるいは、携帯端末１０は、一定周期、又は接続先のアクセスポイント３０が変更された場合等、所定のタイミングで取得要求を発生させる。
【００４９】
ステップＳ１２において、携帯端末１０は、アクセスポイント３０の電波を捕捉し、電波を受信したアクセスポイント３０の識別データ及び電波強度を取得する。
【００５０】
ステップＳ１３において、携帯端末１０は、ステップＳ１２で取得した識別データ及び電波強度を、位置情報管理サーバ２０へ送信し、位置情報を要求する。
【００５１】
ステップＳ１４において、位置情報管理サーバ２０は、ステップＳ１３で受信した識別データ及び電波強度と、位置情報ＤＢ２２１とをパターンマッチングし、マッチングした電波強度のパターンに関連付けられている名称データを抽出する。
【００５２】
ステップＳ１５において、位置情報管理サーバ２０は、ステップＳ１４で抽出した名称データを、要求に対する検索結果として携帯端末１０へ送信する。
【００５３】
ステップＳ１６において、携帯端末１０は、ステップＳ１５で受信した名称データを表示し、ユーザに現在位置を報知する。
【００５４】
以上のように、本実施形態によれば、位置情報提供システム１は、携帯端末１０で得られるアクセスポイント３０の識別データ及び電波強度と、ユーザが入力した位置の名称とを関連付けた位置情報ＤＢ２２１を管理する。施設内において、このデータベースの登録情報が蓄積されることにより、ユーザは、携帯端末１０で現在の電波状況を通知することで簡易に位置情報を得られる。
【００５５】
また、位置情報管理サーバ２０は、携帯端末１０から登録されるデータを統計処理によって最適化できるので、データ容量及び処理負荷が低減され、さらに、信頼性の低いデータが除外されることで測位精度の向上が期待できる。
【００５６】
なお、本実施形態では、アクセスポイント３０の識別データと共に電波強度が用いられたが、より簡易的には、識別データの組み合わせのみが名称データと関連付けて管理されてもよい。
【００５７】
また、本実施形態では、携帯端末１０が位置情報登録処理及び測位処理を行ったが、これらの処理は、それぞれ別々の端末が独立して実行可能である。したがって、位置情報提供システム１は、位置情報登録処理を行う機能に限定した端末（第１の携帯端末）と、測位処理を行う機能に限定した端末（第２の携帯端末）とを含んで構成されてもよい。
【００５８】
＜第２実施形態＞
以下、本発明の第２実施形態について説明する。
本実施形態の位置情報提供システム１ａは、携帯端末１０ｂ（第３の携帯端末）からの要求に応じて、別のユーザが携帯している携帯端末１０ａ（第２の携帯端末）の位置情報として、位置情報管理サーバ２０に登録されている名称データを通知する。
なお、第１実施形態と同様の構成に対しては、同一の符号を付し、説明を省略又は簡略化する。
【００５９】
図５は、本実施形態に係る位置情報提供システム１ａを構成する要素の機能を示すブロック図である。
位置情報提供システム１ａにおいて、携帯端末１０ａの制御部１１ａは、探索部１１１と、通知部１１５とを備える。また、携帯端末１０ｂの制御部１１ｂは、要求部１１３ｂと、出力部１１４ｂとを備える。
【００６０】
携帯端末１０ａの通知部１１５は、要求に応じて、探索部１１１により取得されたアクセスポイント３０の識別データ及び電波強度の組み合わせを位置情報管理サーバ２０へ送信する。これにより、位置情報管理サーバ２０の抽出部２１４は、位置情報ＤＢ２２１に記憶している名称データを抽出して携帯端末１０ｂへ送信する。
【００６１】
携帯端末１０ｂの要求部１１３ｂは、位置情報管理サーバ２０に対して、携帯端末１０ａの位置情報の取得要求を行う。これに応じて、位置情報管理サーバ２０の測位受付部２１３は、携帯端末１０ａへ識別データ及び電波強度の送信を要求する。
なお、位置情報の取得要求には、携帯端末１０ａの識別情報（例えば、電話番号）が含まれる。あるいは、予め位置情報管理サーバ２０に対して、携帯端末１０ａと携帯端末１０ｂとの関係が登録されてもよい。
【００６２】
出力部１１４ｂは、位置情報管理サーバ２０から携帯端末１０ａの位置情報として名称データを受信すると、この名称データを表示部１５に表示させて、ユーザに携帯端末１０ａの現在位置を報知する。
【００６３】
図６は、本実施形態に係る測位処理を示すシーケンス図である。
本処理により、携帯端末１０ｂにおいて、自端末とは異なる携帯端末１０ａの位置情報が取得される。なお、位置情報管理サーバ２０には、位置情報ＤＢ２２１が予め蓄積されているものとする。
【００６４】
ステップＳ２１において、携帯端末１０ｂは、ユーザから携帯端末１０ａの位置情報の取得要求を受け付ける。あるいは、携帯端末１０ｂは、一定周期で位置情報の取得要求を発生させる。
【００６５】
ステップＳ２２において、携帯端末１０ｂは、位置情報管理サーバ２０に対して、携帯端末１０ａの位置情報の取得要求を送信する。
【００６６】
ステップＳ２３において、位置情報管理サーバ２０は、携帯端末１０ａに対して、現在電波を受信可能なアクセスポイント３０の情報として、識別データ及び電波強度を要求する。
【００６７】
ステップＳ２４において、携帯端末１０ａは、アクセスポイント３０の電波を捕捉し、電波を受信したアクセスポイント３０の識別データ及び電波強度を取得する。
【００６８】
ステップＳ２５において、携帯端末１０ａは、ステップＳ２４で取得した識別データ及び電波強度を、位置情報管理サーバ２０へ送信する。
【００６９】
ステップＳ２６において、位置情報管理サーバ２０は、ステップＳ２５で受信した識別データ及び電波強度と、位置情報ＤＢ２２１とをパターンマッチングし、マッチングした電波強度のパターンに関連付けられている名称データを抽出する。
【００７０】
ステップＳ２７において、位置情報管理サーバ２０は、ステップＳ２６で抽出した名称データを、ステップＳ２２の要求に対する検索結果として携帯端末１０ｂへ送信する。
【００７１】
ステップＳ２７において、携帯端末１０ｂは、ステップＳ２６で受信した名称データを表示し、携帯端末１０ａの現在位置を報知する。
【００７２】
以上のように、本実施形態によれば、位置情報提供システム１ａは、携帯端末１０ｂからの要求に応じて、携帯端末１０ａの電波状況を取得し、携帯端末１０ａの位置を示す名称を位置情報ＤＢ２２１から抽出して携帯端末１０ｂへ通知する。
したがって、携帯端末１０ｂのユーザは、オフィス、ショッピングセンタ、イベント会場又は駅構内等、所定の施設内において、他のユーザの現在位置を簡易に知ることができる。例えば、施設内専用の貸出端末（携帯端末１０ａ）を子供に持たせることにより、親端末（携帯端末１０ｂ）から子供の現在位置を取得できる。また、位置情報提供システム１ａは、複数ユーザの待ち合わせ等にも利用できる。
【００７３】
また、位置情報提供システム１ａは、携帯端末１０ｂからの要求に応じて携帯端末１０ａからアクセスポイント３０の情報を取得するので、現在位置を適時に効率良く通知できる。
【００７４】
なお、携帯端末１０ａの通知部１１５は、一定周期、又は探索部１１１により取得される識別データに変化が合った場合等、所定のタイミングで、識別データ及び電波強度の組み合わせを位置情報管理サーバ２０へ送信してもよい。この場合、携帯端末１０ｂから位置情報取得の要求があった際に、既に携帯端末１０ａの電波状況が取得されていれば、位置情報管理サーバ２０は、即座に名称データを通知できる。
【００７５】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００７６】
携帯端末１０は、無線ＬＡＮに接続可能な情報処理装置の一例であり、携帯電話機、スマートフォン、タブレット端末又はＰＣ（Ｐｅｒｓｏｎａｌ  Ｃｏｍｐｕｔｅｒ）等、様々な情報処理装置（コンピュータ）であってよい。
【００７７】
前述の各機能は、ソフトウェアにより実現される。ソフトウェアによって実現される場合には、このソフトウェアを構成するプログラムが情報処理装置にインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００７８】
１、１ａ  位置情報提供システム
１０  携帯端末（第１の携帯端末、第２の携帯端末）
１０ａ  携帯端末（第２の携帯端末）
１０ｂ  携帯端末（第３の携帯端末）
２０  位置情報管理サーバ
３０  アクセスポイント
１１１  探索部
１１２  登録部
１１３、１１３ｂ  要求部
１１４、１１４ｂ  出力部
１１５  通知部
２１１  名称受付部
２１２  登録部
２１３  測位受付部
２１４  抽出部
２１５  送信部
２２１  位置情報ＤＢ
【図１】
2014165878.tif 000003
【図２】
2014165878.tif 000004
【図３】
2014165878.tif 000005
【図４】
2014165878.tif 000006
【図５】
2014165878.tif 000007
【図６】
2014165878.tif 000008